(57)【要約】【課題】コンピュータに適切な印刷設定を簡便に設定する。【解決手段】コンピュータ１が、プリンタ５にコンピュータ名を送信し、このコンピュータ名に割り当てられたセキュリティ情報１３ａをプリンタ５から受信する。コンピュータ１は、セキュリティ情報１３ａに基づいて、セキュリティ条件のうちのユーザより入力された印刷条件から印刷条件設定情報を生成し、この印刷条件設定情報に基づく印刷条件を印刷データ１８ａに付与して印刷ジョブを生成する。プリンタ５は、コンピュータ１から印刷データ１８ａに印刷条件の設定された印刷ジョブを送信し、印刷条件に従って印刷データ１８ａを印刷する。【選択図】  図１
2005053001.tif 000002
【特許請求の範囲】
【請求項１】
印刷データに印刷条件が付与された印刷ジョブを、印刷データ供給装置から受信し、処理して印刷する印刷装置において、
印刷データ供給装置ごとに設定された印刷条件情報を格納した印刷条件情報記憶部と、
上記印刷データ供給装置を特定する印刷データ供給装置情報を当該印刷データ供給装置から受信して、印刷データ供給装置情報に基づいて印刷データ供給装置を特定し、当該印刷データ供給装置に割り当てられた印刷条件情報を上記印刷条件情報記憶部より取得して、当該印刷データ供給装置へ送信する印刷条件情報特定部と、を備えることを特徴とする印刷装置。
【請求項２】
印刷データに印刷条件を付与した印刷ジョブを印刷装置に送信する印刷データ供給装置において、
印刷装置に対して自装置の印刷条件情報の送信要求を自装置を特定する印刷データ供給装置情報とともに送信し、当該要求に対する応答として自装置に割り当てられた印刷条件情報を取得する印刷条件取得部と、
上記印刷条件情報取得部により取得した上記印刷条件情報を格納する取得印刷条件情報記憶部と、を備えることを特徴とする印刷データ供給装置。
【請求項３】
印刷データに付与する印刷条件を設定する際、上記取得印刷条件情報記憶部に格納された印刷条件情報に応じた印刷条件を設定するための設定画面を表示部に表示する画面生成部を備えることを特徴とする請求項２に記載の印刷データ供給装置。
【請求項４】
印刷データに付与する印刷条件を設定する際、上記取得印刷条件情報記憶部に格納された印刷条件情報に応じて設定条件の設定値を自動的に設定する自動設定部を備えることを特徴とする請求項２または３に記載の印刷データ供給装置。
【請求項５】
ホールド印刷を行う印刷データに付与する印刷条件を設定する際、上記取得印刷条件情報記憶部に格納された印刷条件情報に応じてパスワードの強度を変更するホールド用パスワード設定部を備えることを特徴とする請求項２から４のいずれか１項に記載の印刷データ供給装置。
【請求項６】
請求項１に記載の印刷装置と、
請求項２から５のいずれか１項に記載の印刷データ供給装置とがネットワークを介して接続されていることを特徴とする印刷システム。
【請求項７】
印刷データ供給装置が送信した、印刷データに印刷条件を付与した印刷ジョブを印刷装置で処理して印刷する印刷システムの制御方法において、
印刷データ供給装置が、自装置の印刷条件情報を印刷装置へ要求する印刷条件情報要求ステップと、
印刷装置が、印刷データ供給装置ごとに設定された印刷条件情報を格納した印刷表件情報記憶部から、上記要求を送信してきた印刷データ供給装置に対応する印刷条件情報を取得し、当該印刷条件情報を上記印刷データ供給装置へ送信する応答ステップと、
印刷データ供給装置が、印刷装置より受信した印刷条件情報を取得印刷条件記憶部に格納する印刷条件情報格納ステップと、を含むことを特徴とする印刷システムの制御方法。
【請求項８】
印刷データに印刷条件が付与された印刷ジョブを、印刷データ供給装置から受信し、処理して印刷する印刷装置の制御プログラムにおいて、
印刷データ供給装置から受信した当該印刷データ供給装置を特定する印刷データ供給装置情報に基づいて印刷データ供給装置を特定する印刷データ供給装置特定処理と、
上記印刷データ供給装置に対応する印刷条件情報を、印刷データ供給装置ごとに設定された印刷条件情報を格納した印刷条件情報記憶部より取得する印刷条件情報取得処理と、
当該印刷条件情報を上記印刷データ供給装置へ送信する印刷条件情報送信処理とを、コンピュータに実行させるための印刷装置の制御プログラム。
【請求項９】
請求項８に記載の印刷装置の制御プログラムを記録したコンピュータ読み取り可能な記録媒体。
【請求項１０】
印刷データに印刷条件を付与した印刷ジョブを印刷装置に送信する印刷データ供給装置の制御プログラムにおいて、
印刷装置に対して自装置の印刷条件情報の送信要求を自装置を特定する印刷データ供給装置情報とともに送信し、当該要求に対する応答として自装置に割り当てられた印刷条件情報を取得する印刷条件情報取得処理と、
上記印刷条件情報取得処理により取得した上記印刷条件情報を取得印刷条件情報記憶部に格納する印刷条件情報格納処理とを、コンピュータに実行させるための印刷データ供給装置の制御プログラム。
【請求項１１】
請求項１０に記載の印刷データ供給装置の制御プログラムを記録したコンピュータ読み取り可能な記録媒体。
【請求項１２】
印刷データに印刷条件が付与された印刷ジョブを、印刷データ供給装置から受信し、処理して印刷する印刷装置において、
印刷データ供給装置に対してあらかじめ設定された印刷条件情報を格納した印刷条件情報記憶部と、
上記印刷条件情報を上記印刷条件情報記憶部より取得して、上記印刷データ供給装置へ送信する印刷条件情報送信部と、を備えることを特徴とする印刷装置。
【請求項１３】
上記印刷データ供給装置より受信した印刷ジョブにホールド印刷を指定したホールド印刷情報が付与されている場合、上記印刷条件情報記憶部に格納された上記印刷条件情報に対応するセキュリティレベルに応じたセキュリティ動作を行う印刷ジョブ解析部を備えることを特徴とする請求項１２に記載の印刷装置。
【請求項１４】
上記印刷ジョブ解析部は、上記ホールド印刷情報にセキュリティレベルが高いホールド印刷が指定された印刷ジョブを、該印刷ジョブの印刷後に再ホールドできないようにするものであることを特徴とする請求項１３に記載の印刷装置。
【請求項１５】
上記印刷ジョブ解析部は、上記ホールド印刷情報に指定されたホールド印刷のセキュリティレベルが高い程、印刷ジョブの印刷後の保存時間を短くするものであることを特徴とする請求項１３または１４に記載の印刷装置。
【請求項１６】
上記印刷ジョブ解析部は、上記ホールド印刷情報に指定されたホールド印刷のセキュリティレベルに応じた認証画面を、印刷ジョブを印刷する前に操作入力部に表示するものであることを特徴とする請求項１３から１５のいずれか１項に記載の印刷装置。
【請求項１７】
印刷データに印刷条件を付与した印刷ジョブを印刷装置に送信する印刷データ供給装置において、
印刷装置に対して印刷条件情報の送信要求を送信し、当該要求に対する応答として上記印刷条件情報を取得する印刷条件取得部と、
上記印刷条件情報取得部により取得した上記印刷条件情報を格納する取得印刷条件情報記憶部と、を備えることを特徴とする印刷データ供給装置。
【請求項１８】
印刷データに付与する印刷条件を設定する際、上記取得印刷条件情報記憶部に格納された印刷条件情報に応じた印刷条件を設定するための設定画面を表示部に表示する画面生成部を備えることを特徴とする請求項１７に記載の印刷データ供給装置。
【請求項１９】
請求項１２から１６のいずれか１項に記載の印刷装置と、
請求項１７または１８に記載の印刷データ供給装置とがネットワークを介して接続されていることを特徴とする印刷システム。
【請求項２０】
印刷データ供給装置が送信した、印刷データに印刷条件を付与した印刷ジョブを印刷装置で処理して印刷する印刷システムの制御方法において、
印刷データ供給装置が、自装置の印刷条件情報を印刷装置へ要求する印刷条件情報要求ステップと、
印刷装置が、印刷条件情報を格納した印刷表件情報記憶部から印刷条件情報を取得し、当該印刷条件情報を上記印刷データ供給装置へ送信する応答ステップと、
印刷データ供給装置が、印刷装置より受信した印刷条件情報を取得印刷条件記憶部に格納する印刷条件情報格納ステップと、を含むことを特徴とする印刷システムの制御方法。
【請求項２１】
印刷データに印刷条件が付与された印刷ジョブを、印刷データ供給装置から受信し、処理して印刷する印刷装置の制御プログラムにおいて、
印刷データ供給装置から印刷条件情報の送信要求を受信したとき、印刷データ供給装置に対してあらかじめ設定された印刷条件情報を格納した印刷条件情報記憶部より印刷条件情報を取得する印刷条件情報取得処理と、
当該印刷条件情報を上記印刷データ供給装置へ送信する印刷条件情報送信処理とを、コンピュータに実行させるための印刷装置の制御プログラム。
【請求項２２】
請求項２１に記載の印刷装置の制御プログラムを記録したコンピュータ読み取り可能な記録媒体。
【請求項２３】
印刷データに印刷条件を付与した印刷ジョブを印刷装置に送信する印刷データ供給装置の制御プログラムにおいて、
印刷装置に対して印刷条件情報の送信要求を送信し、当該要求に対する応答として上記印刷条件情報を取得する印刷条件情報取得処理と、
上記印刷条件情報取得処理により取得した上記印刷条件情報を取得印刷条件情報記憶部に格納する印刷条件情報格納処理とを、コンピュータに実行させるための印刷データ供給装置の制御プログラム。
【請求項２４】
請求項２３に記載の印刷データ供給装置の制御プログラムを記録したコンピュータ読み取り可能な記録媒体。
【発明の詳細な説明】
【０００１】
【発明の属する技術分野】
本発明は、ネットワークで接続され印刷データを伝送して印刷を行うための印刷装置、印刷データ供給装置、印刷システム、制御方法、制御プログラムおよびそれを記録した記録媒体に関するものでる。
【０００２】
【従来の技術】
印刷装置は、複数のコンピュータで兼用して利用されている。このような印刷装置では、各コンピュータの印刷設定に応じて印刷が行われる。例えば、コンピュータから送信された印刷データを印刷装置内に格納して、ユーザが印刷装置を操作することにより印刷を行う、いわゆるホールド印刷（親展印刷）がある。このホールド印刷は、印刷物の機密性を保護するためのものである。
【０００３】
このようなホールド印刷としては、例えば、特許文献１では、印刷ジョブを印装置内の記憶手段に記憶し、印刷装置上でパスワードが入力された場合、パスワードに対応する印刷ジョブを印刷する印刷装置が開示されている。上記特許文献１における印刷装置のセキュリティ設定は、ユーザが単にホールド印刷の際にパスワードを入力して印刷を行うものであり、ユーザの該印刷装置の利用状況に応じて設定されてはいない。
【０００４】
【特許文献１】
特開平８−３９８９８号公報（公開日：平成８（１９９６）年２月１３日）
【０００５】
【発明が解決しようとする課題】
しかしながら、ホールド印刷の利用は、次の（１）（２）のように、印刷環境やユーザの利用シーンによって異なる。
【０００６】
（１）機密の為だけでなく、出力物の機密性は特にないが、出力トレイに自分の出力物が他のユーザの出力物と混ざるのを回避する為にホールド印刷を利用するユーザもいる。
【０００７】
（２）機密性のより高いホールド印刷機能を実現するために、認証条件を厳しくしたり、出力物だけでなく印刷装置内の印刷ジョブの機密を保護する為にホールドジョブを長時間印刷装置内に残させないようにする必要がある。
【０００８】
特に、上記（２）の場合、よりレベルの高い機密性が実現出来る代わりに、通常のホールド印刷よりホールド印刷の為の認証事項が増えたり、制限事項があったりするので、使い勝手が悪くなる部分がある。その為、各ユーザに通常のホールド印刷を行うか、セキュリティの高いホールド印刷を行うかの選択を任せてしまうと、機密印刷が求められている環境であるにもかかわらず、ユーザによってはセキュリティに対する意識が低く機密レベルの高いホールド印刷を行わない場合がありセキュリティ的に問題が発生する。これを防止するために、管理者が１台、１台、印刷設定の変更を行うのは面倒な作業である。
【０００９】
一方、環境やユーザによっては、単に上記１のような利用シーンにホールド印刷機能を用いて、印刷ジョブのセキュリティは特に必要としない印刷環境もある。
【００１０】
本発明は上記の問題点に鑑みてなされたものであり、その目的は、コンピュータに適切な印刷設定を簡便に設定することができる、印刷装置、印刷データ供給装置、印刷システム、制御方法、制御プログラムおよびそれを記録した記録媒体を提供することにある。
【００１１】
【課題を解決するための手段】
上記の課題を解決するために、本発明の印刷装置は、印刷データに印刷条件が付与された印刷ジョブを、印刷データ供給装置から受信し、処理して印刷する印刷装置において、印刷データ供給装置ごとに設定された印刷条件情報を格納した印刷条件情報記憶部と、上記印刷データ供給装置を特定する印刷データ供給装置情報を当該印刷データ供給装置から受信して、印刷データ供給装置情報に基づいて印刷データ供給装置を特定し、当該印刷データ供給装置に割り当てられた印刷条件情報を上記印刷条件情報記憶部より取得して、当該印刷データ供給装置へ送信する印刷条件情報特定部と、を備えることを特徴としている。
【００１２】
上記の構成によれば、印刷装置と印刷データ供給装置からなる印刷システムにおいて、印刷装置にて印刷データ供給装置における印刷条件情報を設定することにより、印刷データ供給装置における印刷条件を変更することができる。つまり、管理者は、複数の印刷データ供給装置にて、各々全ての印刷条件を設定することなく、印刷条件情報を印刷条件情報記憶部に記憶させるだけで、印刷システムにおける印刷データ供給装置の印刷管理を行うことができる。
【００１３】
また、本発明の印刷データ供給装置は、印刷データに印刷条件を付与した印刷ジョブを印刷装置に送信する印刷データ供給装置において、印刷装置に対して自装置の印刷条件情報の送信要求を自装置を特定する印刷データ供給装置情報とともに送信し、当該要求に対する応答として自装置に割り当てられた印刷条件情報を取得する印刷条件取得部と、上記印刷条件情報取得部により取得した上記印刷条件情報を格納する取得印刷条件情報記憶部と、を備えることを特徴としている。
【００１４】
上記の構成によれば、印刷装置と印刷データ供給装置からなる印刷システムにおいて、印刷装置にて管理者よって設定された印刷条件情報により、印刷システムにおける印刷データ供給装置の印刷管理が行われる。これにより、上記印刷データ供給装置にて、ユーザが、印刷装置にて設定された印刷条件情報から印刷条件を選択すれば良くなる。したがって、ユーザは設定された印刷条件から印刷条件を選択するだけであるため、ユーザの使い勝手がよくなる。
【００１５】
さらに、本発明の印刷データ供給装置は、上記の構成に加えて、印刷データに付与する印刷条件を設定する際、上記取得印刷条件情報記憶部に格納された印刷条件情報に応じた印刷条件を設定するための設定画面を表示部に表示する画面生成部を備えることが好ましい。また、印刷データに付与する印刷条件を設定する際、上記取得印刷条件情報記憶部に格納された印刷条件情報に応じて設定条件の設定値を自動的に設定する自動設定部を備えることが好ましい。これにより、ユーザは上記表示部の表示に沿って必要な印刷条件を印刷データ供給装置にて入力すればよく、煩わしい設定を行うことなく印刷を行うことができる。
【００１６】
さらに、本発明の印刷データ供給装置は、上記の構成に加えて、ホールド印刷を行う印刷データに付与する印刷条件を設定する際、上記取得印刷条件情報記憶部に格納された印刷条件情報に応じてパスワードの強度を変更するホールド用パスワード設定部を備えることが好ましい。
【００１７】
これにより、ホールド印刷時におけるセキュリティを高めることができる。また、管理者により統一されたセキュリティを印刷装置に接続されている印刷データ供給装置にて実施することができる。
【００１８】
また、本発明の印刷システムは、上記の印刷装置と、上記いずれかの印刷データ供給装置とがネットワークを介して接続されていることを特徴としている。
【００１９】
上記の構成によれば、管理者は、印刷装置のみで印刷条件情報を設定するだけで、上記システム内において印刷装置に接続されている各印刷データ供給装置に対する印刷管理を実施することができる。
【００２０】
また、本発明の印刷システムの制御方法は、印刷データ供給装置が送信した、印刷データに印刷条件を付与した印刷ジョブを印刷装置で処理して印刷する印刷システムの制御方法において、印刷データ供給装置が、自装置の印刷条件情報を印刷装置へ要求する印刷条件情報要求ステップと、印刷装置が、印刷データ供給装置ごとに設定された印刷条件情報を格納した印刷表件情報記憶部から、上記要求を送信してきた印刷データ供給装置に対応する印刷条件情報を取得し、当該印刷条件情報を上記印刷データ供給装置へ送信する応答ステップと、印刷データ供給装置が、印刷装置より受信した印刷条件情報を取得印刷条件記憶部に格納する印刷条件情報格納ステップと、を含むことを特徴としている。
【００２１】
上記の方法によれば、管理者は、印刷装置のみで印刷条件情報を設定するだけで、上記システム内において印刷装置に接続されている各印刷データ供給装置に対する印刷管理を実施することができる。
【００２２】
また、本発明の印刷装置の制御プログラムは、印刷データに印刷条件が付与された印刷ジョブを、印刷データ供給装置から受信し、処理して印刷する印刷装置の制御プログラムにおいて、印刷データ供給装置から受信した当該印刷データ供給装置を特定する印刷データ供給装置情報に基づいて印刷データ供給装置を特定する印刷データ供給装置特定処理と、上記印刷データ供給装置に対応する印刷条件情報を、印刷データ供給装置ごとに設定された印刷条件情報を格納した印刷条件情報記憶部より取得する印刷条件情報取得処理と、当該印刷条件情報を上記印刷データ供給装置へ送信する印刷条件情報送信処理とを、コンピュータに実行させることを特徴としている。
【００２３】
上記の構成によれば、印刷装置と印刷データ供給装置からなる印刷システムにおいて、印刷装置にて印刷データ供給装置における印刷条件を設定することにより、印刷データ供給装置における印刷条件を変更することができる。つまり、管理者は、複数の印刷データ供給装置の各々にて、全ての印刷条件を設定することなく、印刷条件情報を印刷条件情報記憶部に記憶させるだけで、印刷システム、および印刷データ供給装置の管理を行うことができる。
【００２４】
また、本発明の記録媒体は、上記の印刷装置の制御プログラムをコンピュータ読み取り可能に記録したことを特徴としている。
【００２５】
上記の構成によれば、上記記録媒体から読み出された制御プログラムによって、上記印刷装置をコンピュータ上に実現することができる。
【００２６】
また、本発明の印刷データ供給装置の制御プログラムは、印刷データに印刷条件を付与した印刷ジョブを印刷装置に送信する印刷データ供給装置の制御プログラムにおいて、印刷装置に対して自装置の印刷条件情報の送信要求を自装置を特定する印刷データ供給装置情報とともに送信し、当該要求に対する応答として自装置に割り当てられた印刷条件情報を取得する印刷条件情報取得処理と、上記印刷条件情報取得処理により取得した上記印刷条件情報を取得印刷条件情報記憶部に格納する印刷条件情報格納処理とを、コンピュータに実行させることを特徴としている。
【００２７】
上記の構成によれば、印刷装置と印刷データ供給装置からなる印刷システムにて、印刷装置にて管理者よって設定された印刷条件情報により、印刷システムにおける印刷データ供給装置の印刷管理が行われる。これにより、上記印刷データ供給装置にて、ユーザが、印刷装置にて設定された印刷条件情報から印刷条件を選択すれば良くなる。したがって、ユーザは設定された印刷条件から印刷条件を選択するだけであるため、ユーザの使い勝手がよくなる。
【００２８】
また、本発明の記録媒体は、上記の印刷データ供給装置の制御プログラムをコンピュータ読み取り可能な記録したことを特徴としている。
【００２９】
上記の構成によれば、上記記録媒体から読み出された制御プログラムによって、上記印刷データ供給装置をコンピュータ上に実現することができる。
【００３０】
また、本発明の印刷装置は、印刷データに印刷条件が付与された印刷ジョブを、印刷データ供給装置から受信し、処理して印刷する印刷装置において、印刷データ供給装置に対してあらかじめ設定された印刷条件情報を格納した印刷条件情報記憶部と、上記印刷条件情報を上記印刷条件情報記憶部より取得して、上記印刷データ供給装置へ送信する印刷条件情報送信部と、を備えることを特徴としている。
【００３１】
上記の構成によれば、印刷装置と印刷データ供給装置からなる印刷システムにおいて、印刷装置にて印刷データ供給装置における印刷条件情報を設定することにより、印刷データ供給装置における印刷条件を変更することができる。つまり、管理者は、複数の印刷データ供給装置にて、各々全ての印刷条件を設定することなく、印刷条件情報を印刷条件情報記憶部に記憶させるだけで、印刷システムにおける印刷データ供給装置の印刷管理を行うことができる。なお、全ての印刷データ供給装置に対して同一の印刷条件情報を割り当ててもよいし、印刷データ供給装置毎に印刷条件情報を割り当ててもよい。
【００３２】
さらに、本発明の印刷装置は、上記の構成に加えて、上記印刷データ供給装置より受信した印刷ジョブにホールド印刷を指定したホールド印刷情報が付与されている場合、上記印刷条件情報記憶部に格納された上記印刷条件情報に対応するセキュリティレベルに応じたセキュリティ動作を行う印刷ジョブ解析部を備えることが好ましい。さらに、上記印刷ジョブ解析部は、上記ホールド印刷情報にセキュリティレベルが高いホールド印刷が指定された印刷ジョブを、該印刷ジョブの印刷後に再ホールドできないようにするものであることが好ましい。さらに、上記印刷ジョブ解析部は、上記ホールド印刷情報に指定されたホールド印刷のセキュリティレベルが高い程、印刷ジョブの印刷後の保存時間を短くするものであることが好ましい。さらに、上記印刷ジョブ解析部は、上記ホールド印刷情報に指定されたホールド印刷のセキュリティレベルに応じた認証画面を、印刷ジョブを印刷する前に操作入力部に表示するものであることが好ましい。
【００３３】
上記の構成によれば、セキュリティレベルに応じてホールド印刷のセキュリティ動作、すなわち印刷処理方法や操作入力画面を異ならせることができる。よって、環境に応じたセキュリティ動作によってホールド印刷を行うことが可能となる。具体的には、セキュリティを重視する場合に印刷ジョブの再利用を禁止し、セキュリティを必要としない場合に印刷ジョブの再利用を可能とすることができる。また、セキュリティレベルが高いホールド印刷ジョブの保存期間を通常のホールド印刷ジョブより短くすることができる。また、セキュリティレベルが高いホールド印刷ジョブではユーザ認証を行ってからジョブリストを表示することができる。
【００３４】
また、本発明の印刷データ供給装置は、印刷データに印刷条件を付与した印刷ジョブを印刷装置に送信する印刷データ供給装置において、印刷装置に対して印刷条件情報の送信要求を送信し、当該要求に対する応答として上記印刷条件情報を取得する印刷条件取得部と、上記印刷条件情報取得部により取得した上記印刷条件情報を格納する取得印刷条件情報記憶部と、を備えることを特徴としている。
【００３５】
上記の構成によれば、印刷装置と印刷データ供給装置からなる印刷システムにおいて、印刷装置にて管理者よって設定された印刷条件情報により、印刷システムにおける印刷データ供給装置の印刷管理が行われる。これにより、上記印刷データ供給装置にて、ユーザが、印刷装置にて設定された印刷条件情報から印刷条件を選択すれば良くなる。したがって、ユーザは設定された印刷条件から印刷条件を選択するだけであるため、ユーザの使い勝手がよくなる。
【００３６】
さらに、本発明の印刷データ供給装置は、上記の構成に加えて、印刷データに付与する印刷条件を設定する際、上記取得印刷条件情報記憶部に格納された印刷条件情報に応じた印刷条件を設定するための設定画面を表示部に表示する画面生成部を備えることが好ましい。これにより、ユーザは上記表示部の表示に沿って必要な印刷条件を印刷データ供給装置にて入力すればよく、煩わしい設定を行うことなく印刷を行うことができる。
【００３７】
また、本発明の印刷システムは、上記いずれかの印刷装置と、上記いずれかの印刷データ供給装置とがネットワークを介して接続されていることを特徴としている。
【００３８】
上記の構成によれば、管理者は、印刷装置のみで印刷条件情報を設定するだけで、上記システム内において印刷装置に接続されている各印刷データ供給装置に対する印刷管理を実施することができる。
【００３９】
また、本発明の印刷システムの制御方法は、印刷データ供給装置が送信した、印刷データに印刷条件を付与した印刷ジョブを印刷装置で処理して印刷する印刷システムの制御方法において、印刷データ供給装置が、自装置の印刷条件情報を印刷装置へ要求する印刷条件情報要求ステップと、印刷装置が、印刷条件情報を格納した印刷表件情報記憶部から印刷条件情報を取得し、当該印刷条件情報を上記印刷データ供給装置へ送信する応答ステップと、印刷データ供給装置が、印刷装置より受信した印刷条件情報を取得印刷条件記憶部に格納する印刷条件情報格納ステップと、を含むことを特徴としている。
【００４０】
上記の方法によれば、管理者は、印刷装置のみで印刷条件情報を設定するだけで、上記システム内において印刷装置に接続されている各印刷データ供給装置に対する印刷管理を実施することができる。
【００４１】
また、本発明の印刷装置の制御プログラムは、印刷データに印刷条件が付与された印刷ジョブを、印刷データ供給装置から受信し、処理して印刷する印刷装置の制御プログラムにおいて、印刷データ供給装置から印刷条件情報の送信要求を受信したとき、印刷データ供給装置に対してあらかじめ設定された印刷条件情報を格納した印刷条件情報記憶部より印刷条件情報を取得する印刷条件情報取得処理と、当該印刷条件情報を上記印刷データ供給装置へ送信する印刷条件情報送信処理とを、コンピュータに実行させることを特徴としている。
【００４２】
上記の構成によれば、印刷装置と印刷データ供給装置からなる印刷システムにおいて、印刷装置にて印刷データ供給装置における印刷条件を設定することにより、印刷データ供給装置における印刷条件を変更することができる。つまり、管理者は、複数の印刷データ供給装置の各々にて、全ての印刷条件を設定することなく、印刷条件情報を印刷条件情報記憶部に記憶させるだけで、印刷システム、および印刷データ供給装置の管理を行うことができる。
【００４３】
また、本発明の記録媒体は、上記の印刷装置の制御プログラムをコンピュータ読み取り可能に記録したことを特徴としている。
【００４４】
上記の構成によれば、上記記録媒体から読み出された制御プログラムによって、上記印刷装置をコンピュータ上に実現することができる。
【００４５】
また、本発明の印刷データ供給装置の制御プログラムは、印刷データに印刷条件を付与した印刷ジョブを印刷装置に送信する印刷データ供給装置の制御プログラムにおいて、印刷装置に対して印刷条件情報の送信要求を送信し、当該要求に対する応答として上記印刷条件情報を取得する印刷条件情報取得処理と、上記印刷条件情報取得処理により取得した上記印刷条件情報を取得印刷条件情報記憶部に格納する印刷条件情報格納処理とを、コンピュータに実行させることを特徴としている。
【００４６】
上記の構成によれば、印刷装置と印刷データ供給装置からなる印刷システムにて、印刷装置にて管理者よって設定された印刷条件情報により、印刷システムにおける印刷データ供給装置の印刷管理が行われる。これにより、上記印刷データ供給装置にて、ユーザが、印刷装置にて設定された印刷条件情報から印刷条件を選択すれば良くなる。したがって、ユーザは設定された印刷条件から印刷条件を選択するだけであるため、ユーザの使い勝手がよくなる。
【００４７】
また、本発明の記録媒体は、上記の印刷データ供給装置の制御プログラムをコンピュータ読み取り可能な記録したことを特徴としている。
【００４８】
上記の構成によれば、上記記録媒体から読み出された制御プログラムによって、上記印刷データ供給装置をコンピュータ上に実現することができる。
【００４９】
【発明の実施の形態】
本発明の実施の一形態にかかる印刷システム１００について、図１ないし図１０に基づいて説明すれば、以下の通りである。
【００５０】
図１は、本発明の実施の形態に係るコンピュータ１とプリンタ５とからなる印刷システム１００の機能を説明するブロック図である。
【００５１】
図１に示すように、パーソナルコンピュータやワークステーションなどのコンピュータ（印刷データ供給装置）１と複写機やレーザプリンタなどのプリンタ（印刷装置）５とがネットワークであるＬＡＮ２０により接続されている構成である。そして、コンピュータ１から送信された印刷データを、プリンタ５で印刷されるようになっている。なお、上記プリンタ５には、コンピュータ１のみが接続されているが、これに限らず複数のコンピュータが接続されていてもよい。
【００５２】
上記コンピュータ１は、図１に示すように、ＬＡＮ２０とのネットワークＩ／Ｆ１１、セキュリティ情報取得部（印刷条件情報取得部）１２、取得セキュリティ情報記憶部（取得印刷条件情報記憶部）１３、印刷条件生成部１４、表示部１５、印刷ジョブ生成部１６、入力部１７および印刷データ記憶部１８を備えている。
【００５３】
このコンピュータ１では、セキュリティ情報取得部１２にてコンピュータ１のコンピュータ名（印刷データ供給装置情報）をネットワークＩ／Ｆ１１およびＬＡＮ２０を介してプリンタ５に送信するようになっている。また、このセキュリティ情報取得部１２は、プリンタ５から送信されたコンピュータ名に対応する対応セキュリティ情報（印刷条件情報）を、ＬＡＮ２０およびネットワークＩ／Ｆ１１を介して取得するようになっている。そして、この取得した対応セキュリティ情報をセキュリティ情報１３ａとして取得セキュリティ情報記憶部１３に記憶させるようになっている。なお、上記セキュリティ情報１３ａは、管理者等によりプリンタ５にて設定されているセキュリティ情報５３ａのうち、このプリンタ５に接続されているコンピュータ１に対して設定されたものである。
【００５４】
ここで、図３は、プリンタ５に接続されるコンピュータ１に対応するそれぞれのセキュリティレベルを設定したデータを示す説明図である。
【００５５】
プリンタ５にて設定されているセキュリティ情報５３ａは、例えば、図３に示すように、プリンタ５に接続されている各コンピュータＡ〜Ｄに対応するそれぞれのセキュリティを設定した（割り当てた）ものである。このプリンタ５にて設定されているセキュリティ情報５３ａは、プリンタ５の機能に応じて設定されるものである。図３では、セキュリティ情報としてのセキュリティレベルを予め設定された、後述する低、中、高の３段階になっているが、これに限らず、それぞれのコンピュータ毎に異なる設定としてもよい。また、セキュリティ情報５３ａには、１つのセキュリティレベルが設定されていてもよい。この場合、プリンタ５に接続された全てのコンピュータ１に対して同一のセキュリティレベルが割り当てられることになり、プリンタ５毎にセキュリティレベルを管理することが可能となる。さらにまた、プリンタ５の構成内容に応じてセキュリティレベルが自動的に決定されてもよい。例えば、プリンタ５にセキュリティ機能（例えば、データの符号化、データ消去）を追加するセキュリティオプションキットを装着している場合には、セキュリティレベルを高と設定し、セキュリティオプションキットが装着されていない場合には、セキュリティレベルを低と設定する。なお、セキュリティオプションキットはＲＯＭ等の形態で供給でき、プリンタ５において、セキュリティオプションキットの装着を自動的に検知して、セキュリティレベルをセキュリティ情報５３ａに設定してもよい。
【００５６】
また、印刷条件生成部１４は、自動設定部１４ａ、画面生成部１４ｂ、ホールド用パスワード設定部１４ｃを備えている。この印刷条件生成部１４では、画面生成部１４ｂが、印刷データに付与する印刷条件を設定する際、取得セキュリティ情報記憶部１３に記憶されているセキュリティ情報１３ａに応じた印刷条件をユーザが設定するための設定画面を表示部１５に表示する。詳細には、自動設定部１４ａが取得セキュリティ情報記憶部１３に記憶されているセキュリティ情報１３ａを読み取り、該セキュリティ情報１３ａに応じて印刷時にて選択可能な印刷条件を自動設定する。そして、画面生成部１４ｂは、この自動設定を反映させて、ユーザが選択可能な残りの印刷条件を入力部１７にて入力することができる印刷条件設定画面情報を生成する。
【００５７】
表示部１５は、この印刷条件設定画面情報に応じて印刷条件設定画面を表示するようになっている。また、ユーザは、アプリケーションソフト等で作成した印刷データを印刷する際、入力部１７にて、印刷条件を入力するようになっている。この印刷条件は、上記印刷条件設定画面情報に応じて表示された印刷条件設定画面に従って入力できるようになっている。入力部１７にて、ユーザより印刷条件が入力されると、この入力された印刷条件が自動設定部１４ａに送られる。自動設定部１４ａは、上記入力印刷条件に応じて、印刷データに設定する印刷条件設定情報を生成するようになっている。また、ホールド印刷を指示する場合には、上記印刷条件設定画面にて、パスワードの入力が行われるようになっている。上記印刷条件設定情報は、自動設定部１４ａからホールド用パスワード設定部１４ｃに送られ、ホールド印刷情報がある場合には、ホールド用パスワード設定部１４ｃが印刷条件設定情報にパスワード情報を付与して印刷ジョブ生成部１６に送る。
【００５８】
印刷ジョブ生成部１６は、上記印刷条件設定情報に応じて印刷データ記憶部１８に格納されている印刷データ１８ａを処理し（印刷条件を設定し）、印刷条件の設定された印刷データである印刷ジョブを生成するようになっている。そして、この印刷ジョブ生成部１６は、ネットワークＩ／Ｆ１１およびＬＡＮ２０を介して、プリンタ５に印刷ジョブを送信するようになっている。
【００５９】
一方、上記プリンタ５は、ＬＡＮ２０とのネットワークＩ／Ｆ５１、セキュリティ特定部（印刷条件情報特定部）５２、セキュリティ情報記憶部（印刷情報記憶部）５３、ホールド印刷解析部５４、印刷ジョブ記憶部５５、印刷ジョブ解析部５６、操作入力部５７、および印刷処理部５８を備えている。
【００６０】
上記プリンタ５では、セキュリティ特定部５２におけるコンピュータ名特定部（印刷データ供給装置情報特定部）５２ａにて、コンピュータ１の印刷データ供給装置情報としてのコンピュータ名を、ＬＡＮ２０およびネットワークＩ／Ｆ５１を介して受信するようになっている。そして、このコンピュータ名特定部５２ａにて上記コンピュータ１を特定する。さらに、セキュリティ特定部５２のセキュリティ情報取得部５２ｂでは、セキュリティ情報記憶部５３に格納されているセキュリティ情報５３ａから、上記特定されたコンピュータ１に応じて設定されたセキュリティ情報を読み出し、ネットワークＩ／Ｆ５１およびＬＡＮ２０を介してコンピュータ１に送信するようになっている。
【００６１】
また、上記プリンタ５では、ホールド印刷解析部５４が、コンピュータ１から送信されてきた印刷ジョブを受信し、この印刷ジョブに付与されている印刷条件におけるホールド印刷情報を解析するようになっている。このホールド印刷解析部５４は、ホールド印刷情報が有ると判断した場合には、印刷ジョブ記憶部５５に上記印刷ジョブを印刷ジョブ５５ａとして記憶するようになっている。
【００６２】
また、上記プリンタ５では、ユーザが、上記操作入力部５７から印刷指示を入力するようになっている。印刷ジョブ解析部５６は、操作入力部５７から入力された印刷指示に応じて、印刷ジョブ５５ａを印刷ジョブ記憶部５５から読み出すようになっている。そして、印刷ジョブ解析部５６は、印刷ジョブに設定されている印刷条件設定情報に応じて、表示画面情報を生成し、操作入力部５７にて表示させるようになっている。操作入力部５７では、ユーザがこの表示画面に応じて、各情報が入力するようになっている。この入力情報に応じて、印刷ジョブ解析部５６では、各情報の処理が行われ、印刷データとして印刷処理部５８に送られる。印刷処理部５８は、この印刷データを処理して、出力するようになっている。なお、ホールド印刷解析部５４にて、ホールド印刷情報がないと判断された場合は、上記印刷ジョブは印刷データとして印刷処理部５８にて処理されて、印刷される。
【００６３】
上記印刷ジョブ解析部５６は、コンピュータ１より受信した印刷ジョブにホールド印刷を指定したホールド印刷情報が付与されている場合、セキュリティ情報記憶部５３に格納されたセキュリティ情報に対応するセキュリティレベルに応じたセキュリティ動作を行う。ここで、セキュリティ動作とは、ホールド印刷の際に適切な長さのパスワードを用いて行う認証や、印刷後のホールドの可否およびホールド時間（保存時間）等の制御などである。
【００６４】
また、印刷ジョブ解析部５６は、ホールド印刷情報にセキュリティレベルが高いホールド印刷が指定された印刷ジョブを、印刷後に再ホールドできないようにする。すなわち、セキュリティレベルが高いホールド印刷設定時は、印刷後ホールドすることを許可しない。なお、印刷後に印刷ジョブを直ちに消去してもよい。
【００６５】
また、印刷ジョブ解析部５６は、ホールド印刷情報に指定されたホールド印刷のセキュリティレベルが高い程、印刷ジョブの印刷後のホールド時間を短くする。よって、セキュリティレベルが高いホールド印刷ジョブの保存期間を通常のホールド印刷ジョブより短くすることで、機密性を高めることができる。
【００６６】
また、印刷ジョブ解析部５６は、ホールド印刷情報に指定されたホールド印刷のセキュリティレベルに応じた認証画面を、印刷ジョブを印刷する前に操作入力部５７に表示する。例えば、セキュリティレベルが高いホールド印刷ジョブでは、ユーザ認証を行ってからジョブリストを表示する。これにより、セキュリティレベルの低い印刷ジョブの場合、ユーザは認証を受けることなくジョブリストを見ることができ、パスワードを入力するだけで素早く印刷できる。また、セキュリティレベルの高い印刷ジョブの場合、ユーザ認証を行ってからユーザにジョブリストを見せるため、機密を保護することができる。
【００６７】
このように、セキュリティレベルに応じてホールド印刷の印刷処理方法を異ならせることで、セキュリティを重視する場合に印刷ジョブの再利用を禁止したり、セキュリティを必要としない場合に印刷ジョブの再利用を行えるようにするなど、環境に応じたホールド印刷が可能となる。
【００６８】
また、上記コンピュータ１とプリンタ５とは、ＬＡＮ２０を介してネットワークＩ／Ｆ１１とネットワークＩ／Ｆ５１とで接続されている。
【００６９】
なお、上記では、印刷データ供給装置情報としてコンピュータ名を用いたが、これに限らず、例えば、コンピュータ１を使用するためにユーザが該コンピュータ１に入力したユーザＩＤを用いてもよい。このとき、セキュリティ情報取得部１２は、コンピュータ１にユーザが入力したユーザＩＤをプリンタ５に送信すればよい。
【００７０】
上記各部材は、ＣＰＵが記憶装置に格納されたプログラムを実行し、図示しない入出力回路などの周辺回路を制御することによって実現される機能ブロックである。
【００７１】
つづいて、図２は、図１に示した印刷システム１００における動作を説明するフローチャートである。図２のフローチャートを参照しながら、上記構成の印刷システム１００における、コンピュータ１とプリンタ５との間のデータ伝送の処理についてより詳細に説明する。以下では、印刷条件設定情報には、ホールド印刷情報、パスワード情報、ユーザＩＤ情報、暗号化情報等が含まれている場合について説明する。これらのパスワード情報、ユーザＩＤ情報、暗号化情報等は、セキュリティの高さに応じて設定されるものである。
【００７２】
まず、上記コンピュータ１では、Ｓ１の印刷条件情報要求ステップが行われる。つまり、上記コンピュータ１では、起動した際に、セキュリティ情報取得部１２が、コンピュータ名（印刷データ供給装置情報）をプリンタ５に送信し（Ｓ１）、プリンタ５に印刷条件情報を要求する。
【００７３】
これに対し、プリンタ５では、Ｓ２〜Ｓ４のステップの応答ステップが行われる。つまり、上記プリンタ５では、送信されてきたコンピュータ名を受信し（Ｓ２）、コンピュータ名特定部５２ａがコンピュータ名からコンピュータ１を特定して（コンピュータ（印刷データ供給装置）特定処理）、セキュリティ情報取得部５２ｂがセキュリティ情報５３ａからそのコンピュータ１に対応するセキュリティ情報を読み出し（Ｓ３）（セキュリティ情報（印刷条件情報）取得処理）、該セキュリティ情報をコンピュータ１に送信する（Ｓ４）（印刷条件情報送信処理）。
【００７４】
さらに、コンピュータ１では、Ｓ５〜Ｓ６の印刷条件情報格納ステップが行われる。つまり、コンピュータ１では、セキュリティ情報取得部１２が、送信されてきたセキュリティ情報１３ａを受信し（Ｓ５）（セキュリティ情報（印刷条件情報）取得処理）、該セキュリティ情報１３ａを取得セキュリティ情報記憶部１３に格納する（Ｓ６）（セキュリティ情報（印刷条件情報）格納処理）。
【００７５】
また、コンピュータ１にて、アプリケーションソフト等で作成され、印刷データ記録部１８に格納された印刷データ１８ａを印刷する際には、入力部１７からユーザにより印刷指示およびホールド印刷情報等を含む印刷条件の入力が行われる（Ｓ７）。そして、印刷条件生成部１４が、この入力された印刷条件より印刷条件設定情報を生成する。次に、印刷ジョブ生成部１６が、この印刷条件設定情報に応じて、印刷データを処理して、印刷データに印刷条件を設定して、印刷ジョブを生成し（Ｓ８）、該印刷ジョブをプリンタ５に送信する（Ｓ９）。
【００７６】
ここで、上記Ｓ７〜Ｓ９について、図４および図５に基づいて、より詳細に説明する。なお、ここでは、一例として、図３に示したように、コンピュータＡ〜Ｄのそれぞれに設定することができるセキュリティ情報としてセキュリティレベル（低、中、高）である場合について説明することとする。また、上記コンピュータ１に対して、セキュリティレベル（低、中、高）のそれぞれが設定された場合について説明する。
【００７７】
Ｓ７では、ユーザがコンピュータ１の入力部１７より印刷指示を行った場合、自動設定部１４ａにて、セキュリティ情報１３ａに基づいて、コンピュータ１に設定されたセキュリティレベル（低、中、高）の判断がなされる。自動設定部１４ａにより、設定されたセキュリティレベルに応じて、印刷データに設定可能な印刷条件が自動設定される。言い換えれば、上記自動設定部１４ａは、上記セキュリティ情報に応じて自動的に設定値を設定する。そして、この自動設定された印刷条件に従って、画面生成部１４ｂにて、設定可能な印刷条件に応じた印刷条件設定画面情報が選択（生成）される。この選択された印刷条件設定画面情報に基づいて、表示部１５にて印刷情報設定画面が表示される。つまり、上記コンピュータ１では、セキュリティレベルに応じて、表示部１５に表示される印刷情報設定画面が変更されるようになっている。この印刷条件設定画面情報に従って、ユーザが入力部１７より印刷条件を入力する
例えば、上記印刷条件設定画面としては、図４（ａ）〜図４（ｃ）に示すような画面が表示される。図４（ａ）〜図４（ｃ）は、コンピュータ１の印刷設定を行う画面を示す説明図である。
【００７８】
セキュリティレベル（低）の場合、ユーザは、図４（ａ）に示すように、「通常印刷」の設定、または、「印刷後にホールド」あるいは「印刷せずにホールド」のいずれかのホールド印刷の設定を選択することができるようになっている。また、ホールド印刷を選択した場合には、ユーザはパスワード（ここでは４文字以上）を入力するようになっている。
【００７９】
また、セキュリティレベル（高）の場合、ユーザは、図４（ｂ）に示すように、「通常印刷」の設定、または、セキュリティの高いホールド印刷として「セキュリティホールド印刷」の設定を選択することができるようになっている。また、セキュリティホールド印刷を選択した場合には、ユーザはユーザＩＤおよびパスワード（ここでは６文字以上）を入力するようになっている。
【００８０】
さらに、セキュリティレベル（中）の場合、ユーザは、図４（ｃ）に示すように、セキュリティレベル（低）および（高）の両方の設定を選択することができるようになっている。
【００８１】
そして、上記のように各セキュリティレベルに応じてユーザより入力された印刷条件に従って、印刷条件生成部１４にて印刷条件設定情報が生成される。また、ホールド用パスワード生成部１４ｃは、上記パスワードを、パスワードの強度（パスワードの解読の困難性（例えば、パスワードの長さ、入力される確率の高いパスワードの使用禁止等））を、セキュリティの高さに応じて変化させて設定してもよい。
【００８２】
また、プリンタ５では、ホールド印刷の実行指示を、セキュリティレベルが低い場合にはパスワードのみで行い、セキュリティレベルが高い場合にはユーザＩＤとパスワードとを用いて行う。すなわち、セキュリティレベルが低い場合、ユーザがパスワードのみで印刷指示を行えば、プリンタ５にはホールド印刷ジョブの一覧が表示（一覧には他のユーザのジョブも含まれる）され、一覧からジョブを選択して、パスワードを入力することでジョブが印刷出力される。一方、セキュリティレベルが高い場合、印刷指示にはユーザＩＤとパスワードが必要であり、プリンタ５はユーザがユーザＩＤおよびパスワードを入力することで、そのユーザ自身の印刷ジョブのみを一覧表示して印刷出力指示を行わせる。
【００８３】
次いで、Ｓ８では、印刷ジョブ生成部１６が、上記印刷条件設定情報に基づいて印刷データに印刷条件を設定し、印刷ジョブを生成する。より詳細には、上記セキュリティレベル（低、中、高）に応じてユーザより入力された印刷条件に従って、ホールド印刷情報、パスワード情報、ユーザＩＤ情報、およびセキュリティホールド印刷に対する暗号化情報等の印刷条件を印刷データに設定し、印刷ジョブが生成される。また、印刷ジョブが生成される際に、印刷ジョブ名を付与するように処理してもよい。
【００８４】
ここで、図５（ａ）（ｂ）は、コンピュータ１が生成する印刷ジョブのデータの構成を示す説明図である。
【００８５】
例えば、ホールド印刷が行われるように指定されている場合には、図５（ａ）に示すように、印刷データに対して、印刷条件設定情報である、ホールド印刷情報（ホールド指定）およびパスワード情報が設定された印刷ジョブが生成される。なお、「印刷後にホールド」のホールド印刷が指定された場合、印刷ジョブ生成部１６は、「印刷後にホールド」を指定する情報をホールド印刷情報に記述する。
【００８６】
また、例えば、セキュリティホールド印刷が行われるように指定されている場合には、図５（ｂ）に示すように、印刷データに対して、ホールド印刷情報（ホールド指定）、ユーザＩＤ情報、およびパスワード情報等の印刷条件が設定され、さらにこれらの印刷情報が設定された印刷データに対して暗号化処理がなされて印刷ジョブが生成される。そして、Ｓ９では、印刷ジョブ生成部１６にて生成された印刷ジョブがプリンタ５に送信される。
【００８７】
また、プリンタ５では、ホールド印刷解析部５４が、上記印刷ジョブを受信し（Ｓ１０）、印刷ジョブを復号化し、この印刷ジョブに設定されているホールド印刷情報の有無を解析する（Ｓ１１）。そして、印刷ジョブがホールド印刷情報を有している場合には、印刷ジョブ５５ａとして印刷ジョブ記憶部５５に記憶する（Ｓ１２）。
【００８８】
なお、印刷ジョブにホールド印刷情報が設定されてない場合には、印刷処理部５８に送られて印刷出力される。また、「印刷後にホールド」のホールド印刷が指定されている印刷ジョブの場合には、パスワードの入力無しに印刷出力を行うとともに、印刷ジョブ５５ａとして印刷ジョブ記憶部５５に記憶する（Ｓ１２と同様）。そして、そのジョブを再度印刷出力する場合は、パスワードの入力をユーザに求める。ただし、「印刷後にホールド」のホールド印刷では、一度はパスワードの入力無しに印刷されるため、印刷物が盗難にあう可能性がある。よって、セキュリティレベルが高い場合、「印刷後にホールド」の設定ができないようにしてもよい。
【００８９】
また、プリンタ５にて、印刷ジョブ記憶部５５に記憶された印刷ジョブ５５ａを印刷する際には、操作入力部５７からユーザにより印刷出力指示、およびユーザＩＤ、パスワード等に対応する印刷条件に対する情報入力が行われる（Ｓ１３）。そして、印刷ジョブ解析部５６にて、入力されたユーザＩＤ、パスワード等の印刷条件に対する情報と印刷ジョブとを照合し、印刷処理部５８にて、印刷ジョブを処理して（Ｓ１４）、印刷を行う（Ｓ１５）。
【００９０】
なお、プリンタ５において、印刷ジョブ管理リストと印刷ジョブをどのように関係付けて管理するかは、様々な形態が可能である。例えば、ホールド印刷情報のパスワードを印刷ジョブにそのまま付けた形で保存すれば、そのパスワードを照合に用いることができる。
【００９１】
ここで、Ｓ１３〜Ｓ１４について、図６ないし図１０に基づいて、より詳細に説明する。なお、ここでは、上記セキュリティレベル（低、中、高）に合わせて指定された、ホールド印刷、セキュリティホールド印刷の印刷ジョブの、プリンタにおける処理について図６のフローチャートに基づいて説明する。また、ここでは、上記印刷ジョブに印刷ジョブ名が付与されていることとする。また、セキュリティホールド印刷の印刷ジョブとは、ユーザＩＤが付与されている印刷ジョブのことをいうことにする。
【００９２】
図６は、プリンタ５におけるホールド印刷時の動作を説明するフローチャートである。図７は、プリンタ５におけるホールド印刷時の印刷ジョブを選択する画面を示す説明図である。図８は、プリンタ５において印刷ジョブが選択された画面を示す説明図である。図９は、図７に示した画面においてセキュリティホールドが選択された場合のユーザ認証を行う画面を示す説明図である。図１０は、図９に示した画面においてユーザ認証がなされ、印刷ジョブを選択する画面を示す説明図である。
【００９３】
まず、操作入力部５７からユーザより印刷指示が入力された（Ｓ５１）場合、プリンタ５は、図７に示すような印刷ジョブのリストを印刷ジョブ解析部５６の制御によって操作入力部５７に表示する（Ｓ５２）。ここで、ユーザによって、表示されている通常のホールド印刷にかかる印刷ジョブ名が入力されるか、またはセキュリティホールド印刷にかかる印刷ジョブを行うかが選択される（Ｓ５３）。
【００９４】
次に、ユーザが通常のホールド印刷を選択し、表示されている印刷ジョブのいずれかを選択（ここでは１を選択）すると、プリンタ５は、図８に示すようにその選択された印刷ジョブのパスワードの入力画面を印刷ジョブ解析部５６の制御によって表示し、パスワードの入力を要求する（Ｓ５４）。これに対して、ユーザがパスワードを入力する（Ｓ５５）。
【００９５】
次に、印刷ジョブ解析部５６がパスワードの照合を行う（Ｓ５６）。このパスワードが正しければ、印刷ジョブを印刷するか、印刷ジョブを消去するかをユーザに選択させる（Ｓ５７）。印刷が指示された場合には、印刷処理部５８が印刷ジョブを処理して印刷した後（Ｓ５８）、印刷ジョブ解析部５６が印刷ジョブを保存するか消去するかをユーザに選択させる（Ｓ５９）。
【００９６】
上記Ｓ５７およびＳ５９で印刷ジョブを消去することが選択された場合には、印刷ジョブ解析部５６が印刷ジョブを消去する（Ｓ６０）。なお、これら印刷ジョブの保存、消去は、図８に示す画面のボタンによりユーザにより選択されるようになっている。
【００９７】
また、Ｓ５３にてセキュリティホールドが選択された場合には、プリンタ５は、図９に示すように、ユーザＩＤおよびパスワードの入力を要求するユーザ認証の画面を印刷ジョブ解析部５６の制御によって表示する。この要求に応じて、ユーザがユーザＩＤおよびパスワードを入力する（Ｓ６１）。このユーザが入力したユーザＩＤおよびパスワードを印刷ジョブ解析部５６にて照合する（Ｓ６２）。このユーザＩＤおよびパスワードが正しければ、図１０に示すように、そのユーザＩＤおよびパスワードに合致する印刷ジョブのリストを表示する（Ｓ６３）。この表示画面にて、ユーザにより印刷ジョブが選択され（Ｓ６４）、ユーザによる印刷か消去するかの選択がなされる（Ｓ６５）。ユーザによって印刷が指示された場合、プリンタ５は、印刷処理部５８にて印刷ジョブを処理して、印刷する（Ｓ６６）。
【００９８】
Ｓ６５における消去の判断の後、およびＳ６６における印刷の後には、印刷ジョブ解析部５６の制御によって印刷ジョブが完全に消去される。ここで、完全消去とは、例えば乱数等を印刷ジョブ上に１回あるいは複数回上書きして、印刷ジョブの痕跡も残さないようにすることである。
【００９９】
なお、上記では、コンピュータ１が起動した場合に、このコンピュータ１のコンピュータ名をプリンタに送信したが、これに代えて、コンピュータ１にユーザがユーザＩＤを入力し、認証された場合に、このユーザＩＤをプリンタ５に送信してもよい。この場合、プリンタ５におけるセキュリティ情報記憶部５３には、ユーザＩＤに対応するセキュリティ情報を記憶しておけばよい。
【０１００】
これにより、印刷システム１００の管理者は、プリンタ５に対してのみユーザごとのセキュリティ情報を設定しておくだけで、各コンピュータ１の印刷環境設定を変更する必要がないため、より簡便にセキュリティ管理を行うことができる。
【０１０１】
また、よりセキュリティを強化するために、通常印刷を選択することを禁止し、ホールド印刷のみを選択させるように、その画面表示を行ってもよい。この画面表示も、各コンピュータあるいはユーザに応じて設定することができる。
【０１０２】
上記では、印刷条件情報としてセキュリティ情報を用いたが、これに限らず、例えば、ユーザに合わせて設定した印刷機能の項目（例えば、通常印刷の禁止（ホールド印刷のみの設定）、印刷の限度枚数等）を規定した情報であってもよい。
【０１０３】
また、上記の実施の形態では、印刷装置および印刷データ供給装置を構成する各部材が、「ＣＰＵなどの演算手段がＲＯＭやＲＡＭなどの記録媒体に格納されたプログラムコードを実行することで実現される機能ブロックである」場合を例にして説明したが、同様の処理を行うハードウェアで実現してもよい。また、処理の一部を行うハードウェアと、当該ハードウェアの制御や残余の処理を行うプログラムコードを実行する上記演算手段とを組み合わせても実現することもできる。さらに、上記各部材のうち、ハードウェアとして説明した部材であっても、処理の一部を行うハードウェアと、当該ハードウェアの制御や残余の処理を行うプログラムコードを実行する上記演算手段とを組み合わせても実現することもできる。なお、上記演算手段は、単体であってもよいし、装置内部のバスや種々の通信路を介して接続された複数の演算手段が共同してプログラムコードを実行してもよい。
【０１０４】
上記演算手段によって直接実行可能なプログラムコード自体、または、後述する解凍などの処理によってプログラムコードを生成可能なデータとしてのプログラムは、当該プログラム（プログラムコードまたは上記データ）を記録媒体に格納し、当該記録媒体を配付したり、あるいは、上記プログラムを、有線または無線の通信路を介して伝送するための通信手段で送信したりして配付され、上記演算手段で実行される。
【０１０５】
なお、通信路を介して伝送する場合、通信路を構成する各伝送媒体が、プログラムを示す信号列を伝搬し合うことによって、当該通信路を介して、上記プログラムが伝送される。また、信号列を伝送する際、送信装置が、プログラムを示す信号列により搬送波を変調することによって、上記信号列を搬送波に重畳してもよい。この場合、受信装置が搬送波を復調することによって信号列が復元される。一方、上記信号列を伝送する際、送信装置が、デジタルデータ列としての信号列をパケット分割して伝送してもよい。この場合、受信装置は、受信したパケット群を連結して、上記信号列を復元する。また、送信装置が、信号列を送信する際、時分割／周波数分割／符号分割などの方法で、信号列を他の信号列と多重化して伝送してもよい。この場合、受信装置は、多重化された信号列から、個々の信号列を抽出して復元する。いずれの場合であっても、通信路を介してプログラムを伝送できれば、同様の効果が得られる。
【０１０６】
ここで、プログラムを配付する際の記録媒体は、取外し可能である方が好ましいが、プログラムを配付した後の記録媒体は、取外し可能か否かを問わない。また、上記記録媒体は、プログラムが記憶されていれば、書換え（書き込み）可能か否か、揮発性か否か、記録方法および形状を問わない。記録媒体の一例として、磁気テープやカセットテープなどのテープ、あるいは、フロッピー（登録商標）ディスクやハードディスクなどの磁気ディスク、または、ＣＤ−ＲＯＭや光磁気ディスク（ＭＯ）、ミニディスク（ＭＤ）やデジタルビデオディスク（ＤＶＤ）などのディスクが挙げられる。また、記録媒体は、ＩＣカードや光カードのようなカード、あるいは、マスクＲＯＭやＥＰＲＯＭ、ＥＥＰＲＯＭまたはフラッシュＲＯＭなどのような半導体メモリであってもよい。あるいは、ＣＰＵなどの演算手段内に形成されたメモリであってもよい。
【０１０７】
なお、上記プログラムコードは、上記各処理の全手順を上記演算手段へ指示するコードであってもよいし、所定の手順で呼び出すことで、上記各処理の一部または全部を実行可能な基本プログラム（例えば、オペレーティングシステムやライブラリなど）が既に存在していれば、当該基本プログラムの呼び出しを上記演算手段へ指示するコードやポインタなどで、上記全手順の一部または全部を置き換えてもよい。
【０１０８】
また、上記記録媒体にプログラムを格納する際の形式は、例えば、実メモリに配置した状態のように、演算手段がアクセスして実行可能な格納形式であってもよいし、実メモリに配置する前で、演算手段が常時アクセス可能なローカルな記録媒体（例えば、実メモリやハードディスクなど）にインストールした後の格納形式、あるいは、ネットワークや搬送可能な記録媒体などから上記ローカルな記録媒体にインストールする前の格納形式などであってもよい。また、プログラムは、コンパイル後のオブジェクトコードに限るものではなく、ソースコードや、インタプリトまたはコンパイルの途中で生成される中間コードとして格納されていてもよい。いずれの場合であっても、圧縮された情報の解凍、符号化された情報の復号、インタプリト、コンパイル、リンク、または、実メモリへの配置などの処理、あるいは、各処理の組み合わせによって、上記演算手段が実行可能な形式に変換可能であれば、プログラムを記録媒体に格納する際の形式に拘わらず、同様の効果を得ることができる。
【０１０９】
【発明の効果】
以上のように、本発明の印刷装置は、印刷データに印刷条件が付与された印刷ジョブを、印刷データ供給装置から受信し、処理して印刷する印刷装置において、印刷データ供給装置ごとに設定された印刷条件情報を格納した印刷条件情報記憶部と、上記印刷データ供給装置を特定する印刷データ供給装置情報を当該印刷データ供給装置から受信して、印刷データ供給装置情報に基づいて印刷データ供給装置を特定し、当該印刷データ供給装置に割り当てられた印刷条件情報を上記印刷条件情報記憶部より取得して、当該印刷データ供給装置へ送信する印刷条件情報特定部と、を備える構成である。
【０１１０】
上記の構成によれば、管理者は、複数の印刷データ供給装置にて、各々全ての印刷条件を設定することなく、印刷条件情報を印刷条件情報記憶部に記憶させるだけで、印刷システムにおける印刷データ供給装置の印刷管理を行うことができるという効果を奏する。
【０１１１】
また、本発明の印刷データ供給装置は、印刷データに印刷条件を付与した印刷ジョブを印刷装置に送信する印刷データ供給装置において、印刷装置に対して自装置の印刷条件情報の送信要求を自装置を特定する印刷データ供給装置情報とともに送信し、当該要求に対する応答として自装置に割り当てられた印刷条件情報を取得する印刷条件取得部と、上記印刷条件情報取得部により取得した上記印刷条件情報を格納する取得印刷条件情報記憶部と、を備える構成である。
【０１１２】
上記の構成によれば、上記印刷データ供給装置にて、ユーザが、印刷装置にて設定された印刷条件情報から印刷条件を選択すれば良くなる。したがって、ユーザは設定された印刷条件から印刷条件を選択するだけであるため、ユーザの使い勝手がよくなるという効果を奏する。
【０１１３】
さらに、本発明の印刷データ供給装置は、上記の構成に加えて、印刷データに付与する印刷条件を設定する際、印刷条件の設定画面を上記取得印刷条件情報記憶部に格納された印刷条件情報に応じて表示する表示部を備えることが好ましい。また、印刷データに付与する印刷条件を設定する際、上記取得印刷条件情報記憶部に格納された印刷条件情報に応じて設定条件の設定値を自動的に設定する自動設定部を備えることが好ましい。これにより、ユーザは上記表示部の表示に沿って必要な印刷条件を印刷データ供給装置にて入力すればよく、煩わしい設定を行うことなく印刷を行うことができるという効果を奏する。
【０１１４】
さらに、本発明の印刷データ供給装置は、上記の構成に加えて、本発明の印刷ホールド印刷を行う印刷データに付与する印刷条件を設定する際、上記取得印刷条件情報記憶部に格納された印刷条件情報に応じてパスワードの強度を変更するホールド用パスワード設定部を備えることが好ましい。
【０１１５】
これにより、ホールド印刷時におけるセキュリティを高めることができる。また、管理者により統一されたセキュリティを印刷装置に接続されている印刷データ供給装置にて実施することができるという効果を奏する。
【０１１６】
また、本発明の印刷システムは、上記の印刷装置と、上記いずれかの印刷データ供給装置とがネットワークを介して接続されている構成である。
【０１１７】
上記の構成によれば、管理者は、印刷装置のみで印刷条件情報を設定するだけで、上記システム内において印刷装置に接続されている各印刷データ供給装置に対する印刷管理を実施することができるという効果を奏する。
【０１１８】
また、本発明の印刷システムの制御方法は、印刷データ供給装置が送信した、印刷データに印刷条件を付与した印刷ジョブを印刷装置で処理して印刷する印刷システムの制御方法において、印刷データ供給装置が、自装置の印刷条件情報を印刷装置へ要求する印刷条件情報要求ステップと、印刷装置が、印刷データ供給装置ごとに設定された印刷条件情報を格納した印刷表件情報記憶部から、上記要求を送信してきた印刷データ供給装置に対応する印刷条件情報を取得し、当該印刷条件情報を上記印刷データ供給装置へ送信する応答ステップと、印刷データ供給装置が、印刷装置より受信した印刷条件情報を取得印刷条件記憶部に格納する印刷条件情報格納ステップと、を含む方法である。
【０１１９】
上記の方法によれば、管理者は、印刷装置のみで印刷条件情報を設定するだけで、上記システム内において印刷装置に接続されている各印刷データ供給装置に対する印刷管理を実施することができるという効果を奏する。
【０１２０】
また、本発明の印刷装置の制御プログラムは、印刷データに印刷条件が付与された印刷ジョブを、印刷データ供給装置から受信し、処理して印刷する印刷装置の制御プログラムにおいて、印刷データ供給装置から受信した当該印刷データ供給装置を特定する印刷データ供給装置情報に基づいて印刷データ供給装置を特定する印刷データ供給装置特定処理と、上記印刷データ供給装置に対応する印刷条件情報を、印刷データ供給装置ごとに設定された印刷条件情報を格納した印刷条件情報記憶部より取得する印刷条件情報取得処理と、当該印刷条件情報を上記印刷データ供給装置へ送信する印刷条件情報送信処理とを、コンピュータに実行させる構成である。
【０１２１】
上記の構成によれば、管理者は、複数の印刷データ供給装置の各々にて、全ての印刷条件を設定することなく、印刷条件情報を印刷条件情報記憶部に記憶させるだけで、印刷システム、および印刷データ供給装置の管理を行うことができるという効果を奏する。
【０１２２】
また、本発明の記録媒体は、上記の印刷装置の制御プログラムをコンピュータ読み取り可能に記録した構成である。
【０１２３】
上記の構成によれば、上記記録媒体から読み出された制御プログラムによって、上記印刷装置をコンピュータ上に実現することができる。
【０１２４】
また、本発明の印刷データ供給装置の制御プログラムは、印刷データに印刷条件を付与した印刷ジョブを印刷装置に送信する印刷データ供給装置の制御プログラムにおいて、印刷装置に対して自装置の印刷条件情報の送信要求を自装置を特定する印刷データ供給装置情報とともに送信し、当該要求に対する応答として自装置に割り当てられた印刷条件情報を取得する印刷条件情報取得処理と、上記印刷条件情報取得処理により取得した上記印刷条件情報を取得印刷条件情報記憶部に格納する印刷条件情報格納処理とを、コンピュータに実行させる構成である。
【０１２５】
上記の構成によれば、上記印刷データ供給装置にて、ユーザが、印刷装置にて設定された印刷条件情報から印刷条件を選択すれば良くなる。したがって、ユーザは設定された印刷条件から印刷条件を選択するだけであるため、ユーザの使い勝手がよくなるという効果を奏する。
【０１２６】
また、本発明の記録媒体は、上記の印刷データ供給装置の制御プログラムをコンピュータ読み取り可能な記録した構成である。
【０１２７】
上記の構成によれば、上記記録媒体から読み出された制御プログラムによって、上記印刷データ供給装置をコンピュータ上に実現することができる。
【０１２８】
また、本発明の印刷装置は、印刷データに印刷条件が付与された印刷ジョブを、印刷データ供給装置から受信し、処理して印刷する印刷装置において、印刷データ供給装置に対してあらかじめ設定された印刷条件情報を格納した印刷条件情報記憶部と、上記印刷条件情報を上記印刷条件情報記憶部より取得して、上記印刷データ供給装置へ送信する印刷条件情報送信部と、を備える構成である。
【０１２９】
上記の構成によれば、管理者は、複数の印刷データ供給装置にて、各々全ての印刷条件を設定することなく、印刷条件情報を印刷条件情報記憶部に記憶させるだけで、印刷システムにおける印刷データ供給装置の印刷管理を行うことができるという効果を奏する。
【０１３０】
さらに、本発明の印刷装置は、上記の構成に加えて、上記印刷データ供給装置より受信した印刷ジョブにホールド印刷を指定したホールド印刷情報が付与されている場合、上記印刷条件情報記憶部に格納された上記印刷条件情報に対応するセキュリティレベルに応じたセキュリティ動作を行う印刷ジョブ解析部を備えることが好ましい。さらに、上記印刷ジョブ解析部は、上記ホールド印刷情報にセキュリティレベルが高いホールド印刷が指定された印刷ジョブを、該印刷ジョブの印刷後に再ホールドできないようにするものであることが好ましい。さらに、上記印刷ジョブ解析部は、上記ホールド印刷情報に指定されたホールド印刷のセキュリティレベルが高い程、印刷ジョブの印刷後の保存時間を短くするものであることが好ましい。さらに、上記印刷ジョブ解析部は、上記ホールド印刷情報に指定されたホールド印刷のセキュリティレベルに応じた認証画面を、印刷ジョブを印刷する前に操作入力部に表示するものであることが好ましい。
【０１３１】
これにより、セキュリティレベルに応じてホールド印刷のセキュリティ動作、すなわち印刷処理方法や操作入力画面を異ならせることができる。よって、環境に応じたセキュリティ動作によってホールド印刷を行うことが可能となるという効果を奏する。
【０１３２】
また、本発明の印刷データ供給装置は、印刷データに印刷条件を付与した印刷ジョブを印刷装置に送信する印刷データ供給装置において、印刷装置に対して印刷条件情報の送信要求を送信し、当該要求に対する応答として上記印刷条件情報を取得する印刷条件取得部と、上記印刷条件情報取得部により取得した上記印刷条件情報を格納する取得印刷条件情報記憶部と、を備える構成である。
【０１３３】
上記の構成によれば、上記印刷データ供給装置にて、ユーザが、印刷装置にて設定された印刷条件情報から印刷条件を選択すれば良くなる。したがって、ユーザは設定された印刷条件から印刷条件を選択するだけであるため、ユーザの使い勝手がよくなるという効果を奏する。
【０１３４】
さらに、本発明の印刷データ供給装置は、上記の構成に加えて、印刷データに付与する印刷条件を設定する際、上記取得印刷条件情報記憶部に格納された印刷条件情報に応じた印刷条件を設定するための設定画面を表示部に表示する画面生成部を備えることが好ましい。これにより、ユーザは上記表示部の表示に沿って必要な印刷条件を印刷データ供給装置にて入力すればよく、煩わしい設定を行うことなく印刷を行うことができるという効果を奏する。
【０１３５】
また、本発明の印刷システムは、上記いずれかの印刷装置と、上記いずれかの印刷データ供給装置とがネットワークを介して接続されている構成である。
【０１３６】
上記の構成によれば、管理者は、印刷装置のみで印刷条件情報を設定するだけで、上記システム内において印刷装置に接続されている各印刷データ供給装置に対する印刷管理を実施することができるという効果を奏する。
【０１３７】
また、本発明の印刷システムの制御方法は、印刷データ供給装置が送信した、印刷データに印刷条件を付与した印刷ジョブを印刷装置で処理して印刷する印刷システムの制御方法において、印刷データ供給装置が、自装置の印刷条件情報を印刷装置へ要求する印刷条件情報要求ステップと、印刷装置が、印刷条件情報を格納した印刷表件情報記憶部から印刷条件情報を取得し、当該印刷条件情報を上記印刷データ供給装置へ送信する応答ステップと、印刷データ供給装置が、印刷装置より受信した印刷条件情報を取得印刷条件記憶部に格納する印刷条件情報格納ステップと、を含む方法である。
【０１３８】
上記の方法によれば、管理者は、印刷装置のみで印刷条件情報を設定するだけで、上記システム内において印刷装置に接続されている各印刷データ供給装置に対する印刷管理を実施することができるという効果を奏する。
【０１３９】
また、本発明の印刷装置の制御プログラムは、印刷データに印刷条件が付与された印刷ジョブを、印刷データ供給装置から受信し、処理して印刷する印刷装置の制御プログラムにおいて、印刷データ供給装置から印刷条件情報の送信要求を受信したとき、印刷データ供給装置に対してあらかじめ設定された印刷条件情報を格納した印刷条件情報記憶部より印刷条件情報を取得する印刷条件情報取得処理と、当該印刷条件情報を上記印刷データ供給装置へ送信する印刷条件情報送信処理とを、コンピュータに実行させる構成である。
【０１４０】
上記の構成によれば、管理者は、複数の印刷データ供給装置の各々にて、全ての印刷条件を設定することなく、印刷条件情報を印刷条件情報記憶部に記憶させるだけで、印刷システム、および印刷データ供給装置の管理を行うことができるという効果を奏する。
【０１４１】
また、本発明の記録媒体は、上記の印刷装置の制御プログラムをコンピュータ読み取り可能に記録した構成である。
【０１４２】
上記の構成によれば、上記記録媒体から読み出された制御プログラムによって、上記印刷装置をコンピュータ上に実現することができるという効果を奏する。
【０１４３】
また、本発明の印刷データ供給装置の制御プログラムは、印刷データに印刷条件を付与した印刷ジョブを印刷装置に送信する印刷データ供給装置の制御プログラムにおいて、印刷装置に対して印刷条件情報の送信要求を送信し、当該要求に対する応答として上記印刷条件情報を取得する印刷条件情報取得処理と、上記印刷条件情報取得処理により取得した上記印刷条件情報を取得印刷条件情報記憶部に格納する印刷条件情報格納処理とを、コンピュータに実行させる構成である。
【０１４４】
上記の構成によれば、上記印刷データ供給装置にて、ユーザが、印刷装置にて設定された印刷条件情報から印刷条件を選択すれば良くなる。したがって、ユーザは設定された印刷条件から印刷条件を選択するだけであるため、ユーザの使い勝手がよくなるという効果を奏する。
【０１４５】
また、本発明の記録媒体は、上記の印刷データ供給装置の制御プログラムをコンピュータ読み取り可能な記録した構成である。
【０１４６】
上記の構成によれば、上記記録媒体から読み出された制御プログラムによって、上記印刷データ供給装置をコンピュータ上に実現することができるという効果を奏する。
【図面の簡単な説明】
【図１】本発明の実施の形態に係るコンピュータとプリンタとからなる印刷システムの機能を説明するブロック図である。
【図２】図１に示した印刷システムにおける動作を説明するフローチャートである。
【図３】プリンタに接続されるコンピュータに対応するそれぞれのセキュリティレベルを設定したデータを示す説明図である。
【図４】（ａ）〜（ｃ）は、コンピュータの印刷設定を行う画面を示す説明図である。
【図５】（ａ）（ｂ）は、印刷ジョブのデータの構成を示す説明図である。
【図６】プリンタにおける、ホールド印刷時の動作を説明するフローチャートである。
【図７】プリンタにおけるホールド印刷時の印刷ジョブを選択する画面を示す説明図である。
【図８】プリンタにおいて印刷ジョブが選択された画面を示す説明図である。
【図９】図７に示した画面においてセキュリティホールドが選択された場合のユーザ認証を行う画面を示す説明図である。
【図１０】図９に示した画面においてユーザ認証がなされ、印刷ジョブを選択する画面を示す説明図である。
【符号の説明】
１    コンピュータ（印刷データ供給装置）
５    プリンタ（印刷装置）
１２    セキュリティ情報取得部（印刷条件情報取得部）
１３    取得セキュリティ情報記憶部（取得印刷条件情報記憶部）
１４    印刷条件生成部
１４ｂ  画面生成部
１５    表示部
１６    印刷ジョブ生成部
５２    セキュリティ特定部（印刷条件情報特定部、印刷条件情報送信部）
５３    セキュリティ情報記憶部（印刷条件情報記憶部）
５４    ホールド印刷解析部
５６    印刷ジョブ解析部
５７    操作入力部
１００    印刷システム
【図１】
2005053001.tif 000003
【図２】
2005053001.tif 000004
【図３】
2005053001.tif 000005
【図４】
2005053001.tif 000006
【図５】
2005053001.tif 000007
【図６】
2005053001.tif 000008
【図７】
2005053001.tif 000009
【図８】
2005053001.tif 000010
【図９】
2005053001.tif 000011
【図１０】
2005053001.tif 000012